(57)【特許請求の範囲】
【請求項１】
第１ハウジングと、第２ハウジングと、複数のコンタクトとを備えたコネクタであって、
前記第１ハウジングは、前記コンタクトが挿入方向に沿って夫々挿入・収容される複数の第１収容部と、前記挿入方向と直交する上下方向において前記第１収容部のうちの少なくとも１つと連通する第１係止孔と、前記挿入方向及び前記上下方向の双方と直交する幅方向において前記第１係止孔と隣り合う第１係止突起とを有しており、前記複数の第１収容部は前記幅方向に並んでおり、前記第１係止突起は、前記挿入方向及び前記幅方向によって規定される水平面において、前記第１収容部のうちの１つのみと重なる位置に配置されており、前記第１係止孔及び前記第１係止突起は、前記挿入方向において互いに同一位置に位置するように設けられており、
前記第２ハウジングは、前記コンタクトが前記挿入方向に沿って夫々挿入・収容される複数の第２収容部と、前記上下方向において前記第２収容部のうちの少なくとも１つと連通する第２係止孔と、前記幅方向において前記第２係止孔と隣り合う第２係止突起とを有しており、前記複数の第２収容部は、前記幅方向に並んでおり、前記第２係止突起は、前記水平面において、前記第２収容部のうちの１つのみと重なる位置に配置されており、前記第２係止孔及び前記第２係止突起は、前記挿入方向において互いに同一位置に位置するように設けられており、
前記第１係止突起は、前記第２収容部と夫々対応するように複数設けられており、
前記第２係止突起は、前記第１収容部と夫々対応するように複数設けられており、
前記コンタクトは、被係止部を有しており、
前記第１ハウジングと前記第２ハウジングとは、前記第２ハウジングが前記上下方向において前記第１ハウジングの上に位置するようにして連結されており、
前記第１ハウジングの前記第１係止突起は、前記上下方向において上方に延びて前記第２ハウジングの前記第２係止孔を通過し、前記コンタクトの前記被係止部を係止しており、
前記第２ハウジングの前記第２係止突起は、前記上下方向において下方に延びて前記第１ハウジングの前記第１係止孔を通過し、前記コンタクトの前記被係止部を係止しており、
前記第１収容部内の前記コンタクトの前記被係止部と前記第２収容部内の前記コンタクトの前記被係止部とは、前記挿入方向において互いに同じ位置に位置するように構成されている
コネクタ。
【請求項２】
請求項１記載のコネクタであって、
前記第１収容部の数は、前記第２収容部の数と同じである
コネクタ。
【請求項３】
請求項２記載のコネクタであって、
前記第１収容部の夫々は、前記幅方向において、前記第２収容部のうちのいずれか一つと同じ位置に位置している
コネクタ。
【請求項４】
請求項１乃至請求項３のいずれかに記載のコネクタであって、
前記第１係止突起の少なくとも１つには、第１ロック部が設けられており、
前記第２係止突起の少なくとも１つには、第２ロック部が設けられており、
前記第１ハウジングには、前記第２ロック部と対応する第１被ロック部が設けられており、
前記第２ハウジングには、前記第１ロック部と対応する第２被ロック部が設けられており、
前記第１ロック部と前記第２被ロック部とが係合するとともに、前記第２ロック部と前記第１被ロック部とが係合しており、これにより前記第１ハウジングと前記第２ハウジングとの連結状態が維持されている
コネクタ。
【請求項５】
請求項４記載のコネクタであって、
前記第１ロック部は、前記幅方向において最も外側に位置する前記第１係止突起のうちの一方に設けられており、
前記第２ロック部は、前記幅方向において最も外側に位置する前記第２係止突起のうちの一方に設けられており、
前記第１ロック部及び前記第２ロック部は、前記幅方向における両端部分に夫々位置している
コネクタ。
【請求項６】
請求項１乃至請求項５のいずれかに記載のコネクタであって、
前記コンタクトは、仮被係止部を有しており、
前記第１収容部には第１ランスが設けられており、前記第１ランスは、前記コンタクトが前記第１収容部に挿入された際に前記仮被係止部を係止し、
前記第２収容部には第２ランスが設けられており、前記第２ランスは、前記コンタクトが前記第２収容部に挿入された際に前記仮被係止部を係止する
コネクタ。
【請求項７】
請求項６記載のコネクタであって、
前記第１ハウジングは、第１当接部を有しており、前記第１ランスは、前記第１当接部に設けられており、
前記第２ハウジングは、第２当接部を有しており、前記第２ランスは、前記第２当接部に設けられており、
前記第１当接部と前記第２当接部とは当接しており、これにより前記第１ランス及び前記第２ランスの前記上下方向における変位が規制されている
コネクタ。
【請求項８】
請求項１乃至請求項７のいずれかに記載のコネクタであって、
前記第１係止突起の前記幅方向におけるサイズは、前記第２係止突起の前記幅方向におけるサイズと同一である
コネクタ。
【請求項９】
請求項１乃至請求項８のいずれかに記載のコネクタであって、
前記第１ハウジングは、前記第２ハウジングと同一の形状を有している
コネクタ。
【請求項１０】
請求項１乃至請求項９のいずれかに記載のコネクタであって、
前記第１ハウジング及び前記第２ハウジングを覆うシェルを更に備えており、
前記コンタクトは、複数のケーブルの先端に夫々取り付けられている
コネクタ。
【発明の詳細な説明】
【技術分野】
【０００１】
本発明は、コンタクトが夫々収容される複数のハウジングを上下に積み重ねたコネクタに関する。
【背景技術】
【０００２】
このタイプのコネクタは、例えば、特許文献１及び特許文献２に開示されている。
【０００３】
特許文献１に開示されたブロックコネクタ（コネクタ）は、本体コネクタ（第１ハウジング）と、サブコネクタ（第２ハウジング）とを備えている（図１４及び図１５参照）。本体コネクタは、端子金具（コンタクト）が前後方向に沿って挿入・収容される端子収容室（収容部）と、端子収容室の上方に突出した凸部（係止突起）と、凸部の後方に位置しており端子収容室と連通している凹部（係止孔）とを備えている。サブコネクタは、端子収容室と、端子収容室の下方に突出した凸部と、凸部の前方に位置しており、端子収容室と連通している凹部とを備えている。端子収容室に端子金具を夫々収容した後で、サブコネクタを、本体コネクタの上に位置するように組み合わせると、凸部が凹部に挿入され、端子金具の被係止部を係止する。
【０００４】
特許文献２に開示されたコネクタは、２つの複数列コネクタ（第１ハウジング及び第２ハウジング）を備えている（図１６及び図１７参照）。複数列コネクタの夫々には、コンタクト（図示せず）が収容される複数の収容穴（収容部）が形成されている。収容穴は、幅方向に並んでいる。複数列コネクタの夫々は、２つの収容穴にまたがるようにして収容穴の上方（又は下方）に突出した突起部（係止突起）と、突起部の横に位置しており収容穴と連通している貫通孔（係止孔）とを備えている。収容穴にコンタクトを夫々収容した後で、２つの複数列コネクタを上下に積み重ねると、突起部が貫通孔に挿入され、コンタクトを係止する。
【先行技術文献】
【特許文献】
【０００５】
【特許文献１】特開平９−１７４９６号公報
【特許文献２】実公平２−４７５７９号公報
【発明の概要】
【発明が解決しようとする課題】
【０００６】
特許文献１に開示された発明によれば、第１ハウジングの係止突起と、第２ハウジングの係止突起とは、前後方向において異なる位置に配置される。このため、特許文献１のコンタクトには、２つの被係止部が設けられている。換言すれば、コンタクトは、より複雑に構成されている。仮に、コンタクトを前後方向において同じ位置に収容しつつ、コンタクトの被係止部を１箇所にしようとすると、第１ハウジングに収容されるコンタクトと第２ハウジングに収容されるコンタクトとを互いに異なる形状に形成する必要がある。換言すれば、部品の点数が増加する。また、１つの被係止部を有する同じ形状のコンタクトを前後方向において異なる位置に収容する場合、前後方向におけるコネクタのサイズを大きくする必要がある。
【０００７】
特許文献２に開示された発明によれば、係止突起は、幅方向に並んだ２つの収容穴にまたがるようにして配置される。換言すれば、第１ハウジングと第２ハウジングとを積み重ねた状態において、収容穴がジグザグに配置される（即ち、千鳥配置される）。このため、幅方向におけるコネクタのサイズを大きくする必要がある。
【０００８】
そこで、本発明は、コンタクトが夫々収容される複数のハウジングを上下に積み重ねたコネクタであって、部品の複雑化や部品点数の増加を避けると共に、前後方向及び幅方向におけるコネクタのサイズの増大を避けつつ、コンタクトを保持することが可能なコネクタを提供することを目的とする。
【課題を解決するための手段】
【０００９】
本発明は、第１のコネクタとして、
第１ハウジングと、第２ハウジングと、複数のコンタクトとを備えたコネクタであって、
前記第１ハウジングは、前記コンタクトが挿入方向に沿って夫々挿入・収容される複数の第１収容部と、前記挿入方向と直交する上下方向において前記第１収容部のうちの少なくとも１つと連通する第１係止孔と、前記挿入方向及び前記上下方向の双方と直交する幅方向において前記第１係止孔と隣り合う第１係止突起とを有しており、前記複数の第１収容部は前記幅方向に並んでおり、前記第１係止突起は、前記挿入方向及び前記幅方向によって規定される水平面において、前記第１収容部のうちの１つのみと重なる位置に配置されており、
前記第２ハウジングは、前記コンタクトが前記挿入方向に沿って夫々挿入・収容される複数の第２収容部と、前記上下方向において前記第２収容部のうちの少なくとも１つと連通する第２係止孔と、前記幅方向において前記第２係止孔と隣り合う第２係止突起とを有しており、前記複数の第２収容部は、前記幅方向に並んでおり、前記第２係止突起は、前記水平面において、前記第２収容部のうちの１つのみと重なる位置に配置されており、
前記第１係止突起は、前記第２収容部と夫々対応するように複数設けられており、
前記第２係止突起は、前記第１収容部と夫々対応するように複数設けられており、
前記コンタクトは、被係止部を有しており、
前記第１ハウジングと前記第２ハウジングとは、前記第２ハウジングが前記上下方向において前記第１ハウジングの上に位置するようにして連結されており、
前記第１ハウジングの前記第１係止突起は、前記上下方向において上方に延びて前記第２ハウジングの前記第２係止孔を通過し、前記コンタクトの前記被係止部を係止しており、
前記第２ハウジングの前記第２係止突起は、前記上下方向において下方に延びて前記第１ハウジングの前記第１係止孔を通過し、前記コンタクトの前記被係止部を係止している
コネクタを提供する。
【００１０】
また、本発明は、第２のコネクタとして、第１のコネクタであって、
前記第１収容部の数は、前記第２収容部の数と同じである
コネクタを提供する。
【００１１】
また、本発明は、第３のコネクタとして、第２のコネクタであって、
前記第１収容部の夫々は、前記幅方向において、前記第２収容部のうちのいずれか一つと同じ位置に位置している
コネクタを提供する。
【００１２】
また、本発明は、第４のコネクタとして、第１乃至第３のコネクタのいずれかであって、
前記第１係止突起の少なくとも１つには、第１ロック部が設けられており、
前記第２係止突起の少なくとも１つには、第２ロック部が設けられており、
前記第１ハウジングには、前記第２ロック部と対応する第１被ロック部が設けられており、
前記第２ハウジングには、前記第１ロック部と対応する第２被ロック部が設けられており、
前記第１ロック部と前記第２被ロック部とが係合するとともに、前記第２ロック部と前記第１被ロック部とが係合しており、これにより前記第１ハウジングと前記第２ハウジングとの連結状態が維持されている
コネクタを提供する。
【００１３】
また、本発明は、第５のコネクタとして、第４のコネクタであって、
前記第１ロック部は、前記幅方向において最も外側に位置する前記第１係止突起のうちの一方に設けられており、
前記第２ロック部は、前記幅方向において最も外側に位置する前記第２係止突起のうちの一方に設けられており、
前記第１ロック部及び前記第２ロック部は、前記幅方向における両端部分に夫々位置している
コネクタを提供する。
【００１４】
また、本発明は、第６のコネクタとして、第１乃至第５のコネクタのいずれかであって、
前記コンタクトは、仮被係止部を有しており、
前記第１収容部には第１ランスが設けられており、前記第１ランスは、前記コンタクトが前記第１収容部に挿入された際に前記仮被係止部を係止し、
前記第２収容部には第２ランスが設けられており、前記第２ランスは、前記コンタクトが前記第２収容部に挿入された際に前記仮被係止部を係止する
コネクタを提供する。
【００１５】
また、本発明は、第７のコネクタとして、第６のコネクタであって、
前記第１ハウジングは、第１当接部を有しており、前記第１ランスは、前記第１当接部に設けられており、
前記第２ハウジングは、第２当接部を有しており、前記第２ランスは、前記第２当接部に設けられており、
前記第１当接部と前記第２当接部とは当接しており、これにより前記第１ランス及び前記第２ランスの前記上下方向における変位が規制されている
コネクタを提供する。
【００１６】
また、本発明は、第８のコネクタとして、第１乃至第７のコネクタのいずれかであって、
前記第１係止突起の前記幅方向におけるサイズは、前記第２係止突起の前記幅方向におけるサイズと同一である
コネクタを提供する。
【００１７】
また、本発明は、第９のコネクタとして、第１乃至第８のコネクタのいずれかであって、
前記第１ハウジングは、前記第２ハウジングと同一の形状を有している
コネクタを提供する。
【００１８】
また、本発明は、第１０のコネクタとして、第１乃至第９のコネクタのいずれかであって、
前記第１ハウジング及び前記第２ハウジングを覆うシェルを更に備えており、
前記コンタクトは、複数のケーブルの先端に夫々取り付けられている
コネクタを提供する。
【発明の効果】
【００１９】
本発明によれば、第１係止突起が挿入される第２係止孔と第２係止突起とが幅方向において隣り合っており、第２係止突起が挿入される第１係止孔と第１係止突起とが幅方向において隣り合っている。従って、第１ハウジングに収容されるコンタクトの被係止部と第２ハウジングに収容されるコンタクトの被係止部とを同一位置に形成することができ、部品の複雑化や部品点数の増加を避けることができる。更に、コンタクトが挿入される挿入方向（前後方向）におけるコネクタのサイズの増大を避けることができる。また、第１係止突起は、水平面において第１収容部のうちの１つのみと重なる位置に配置されており、第２係止突起は、水平面において、第２収容部のうちの１つのみと重なる位置に配置されていることから、幅方向におけるコネクタのサイズの増大を避けることができる。
【図面の簡単な説明】
【００２０】
【図１】本発明の実施の形態によるコネクタを示す斜視図である。ここでコネクタは、ケーブルに接続されている。
【図２】図１のコネクタの第１ハウジング及び第２ハウジングを示す分解斜視図である。ここで、コネクタは、ケーブルに接続されている。
【図３】図２の第２ハウジングを示す底面図である。
【図４】図２の第２ハウジングを示す正面図である。
【図５】図２の第１ハウジングに保持されるコンタクトを示す斜視図である。ここでコンタクトは、ケーブルに接続されている。
【図６】図５のコンタクトとケーブルとを示す側面図である。
【図７】図１のコネクタを示す正面図である。
【図８】図７のコネクタをVIII-VIII線に沿って示す断面図である。
【図９】図７のコネクタをIX-IX線に沿って示す断面図である。
【図１０】図８のコネクタをX-X線に沿って示す断面図である。
【図１１】図８のコネクタをXI-XI線に沿って示す断面図である。
【図１２】図１のコネクタの第１の変形例を示す斜視図である。
【図１３】図１のコネクタの第２の変形例を示す斜視図である。
【図１４】従来のコネクタを示す分解斜視図である。
【図１５】図１４のコネクタを示す断面図である。
【図１６】別の従来のコネクタを部分的に示す斜視図である。
【図１７】図１６のコネクタを部分的に示す正面図である。
【発明を実施するための形態】
【００２１】
図１、図７及び図８に示されるように、本発明の実施の形態によるコネクタ１０は、絶縁性材料からなる第１ハウジング（ハウジング）１００と、絶縁性材料からなる第２ハウジング（ハウジング）２００と、導電性材料からなる複数のコンタクト４００とを備えている。本実施の形態によるコネクタ１０は、ケーブルコネクタであり、コンタクト４００の夫々はケーブル９１０に接続されている。ケーブル９１０に接続されたコンタクト４００は、＋Ｘ方向（挿入方向）に沿って第１ハウジング１００又は第２ハウジング２００に挿入され、保持されている。コネクタ１０は、相手側コンタクトを備えた相手側コネクタ（図示せず）と、＋Ｘ方向に沿って接続可能である。
【００２２】
図５、図６及び図８に示されるように、ケーブル９１０は、絶縁性の被覆に覆われた芯線９１２を有している。ケーブル９１０は、例えばハーネスにまとめられた電線のうちの１本であってもよいし、複合ケーブルのうちの１本であってもよい。芯線９１２は、例えば電源線であってもよいし、信号線であってもよい。
【００２３】
図５及び図６から理解されるように、本実施の形態によるコンタクト４００は、１枚の金属板を打ち抜き・折り曲げ加工したものである。コンタクト４００は、断面四角形の角筒状部４１０と、かしめ部４３０と、保持部４４０とを有している。
【００２４】
角筒状部４１０は、角柱形状の外形を有している。詳しくは、角筒状部４１０は、コンタクト４００の＋Ｘ方向における先端部分を箱型に折り曲げることによって形成されており、これによりコンタクト４００には、相手側コンタクト（図示せず）が挿入される被挿入部４２４が形成されている。角筒状部４１０は、角柱の１面として外板部４１２と支持板部４１８とを有している。外板部４１２は、支持板部４１８の上を覆っている。外板部４１２と支持板部４１８とは、Ｚ方向（上下方向）において面接触している。
【００２５】
外板部４１２は部分的に切欠かれており、これによりＺ方向（上下方向）に凹んだ凹部４１４が形成されている。コンタクト４００は、外板部４１２を上に向けた状態（即ち、凹部４１４が−Ｚ方向に凹んだ状態）で第１ハウジング１００に保持され、外板部４１２を下に向けた状態（即ち、凹部４１４が＋Ｚ方向に凹んだ状態）で第２ハウジング２００に保持されている（図９参照）。凹部４１４の＋Ｘ方向における端部には、仮被係止部４１６が形成されている。本実施の形態による仮被係止部４１６は、Ｘ方向と直交する平面（即ち、垂直面）である。
【００２６】
図５及び図９に示されるように、支持板部４１８の＋Ｘ方向における先端部分は、被挿入部４２４の内部に折り曲げられており、これにより接触部４２０が形成されている。接触部４２０は、Ｚ方向に弾性変形可能となるように支持板部４１８に支持されている。
【００２７】
図５、図６及び図９に示されるように、角筒状部４１０の後端（即ち、−Ｘ側の端）は、Ｘ方向と直交する平面状に形成されている。詳しくは、外板部４１２の後端及び支持板部４１８の後端は、Ｘ方向と直交する平面状に形成されている。また、外板部４１２の後端及び支持板部４１８の後端は、面一となるように重ねられており、これにより被係止部４２２が形成されている。以上の説明から理解されるように、本実施の形態による被係止部４２２は、Ｘ方向と直交する平面（即ち、垂直面）である。被係止部４２２の厚さ（即ち、Ｚ方向におけるサイズ）は、仮被係止部４１６の厚さよりも大きい。より具体的には、本実施の形態による被係止部４２２の厚さは、仮被係止部４１６の厚さの約２倍である。
【００２８】
図５及び図６に示されるように、保持部４４０は、コンタクト４００の後端に形成されている。保持部４４０は、折り曲げられてケーブル９１０を巻きつけており、これによりケーブル９１０を保持している。かしめ部４３０は、Ｘ方向において、角筒状部４１０と保持部４４０との間に形成されている。かしめ部４３０は、ケーブル９１０の芯線９１２をかしめており、これによりコンタクト４００とケーブル９１０とは、電気的に接続されている。
【００２９】
図１及び図２から理解されるように、本実施の形態による第１ハウジング１００は、第２ハウジング２００と同一の形状を有している。より具体的には、第１ハウジング１００を、Ｘ方向と平行な軸を中心に１８０°回転させると（即ち、ひっくり返すと）、第２ハウジング２００になる。
【００３０】
第１ハウジング１００及び第２ハウジング２００の夫々は、概ね、ＸＹ平面（即ち、Ｚ方向と直交する平面）と平行な矩形の平板形状を有している。第１ハウジング１００は、Ｚ方向における両側に、上板部（第１当接部）１０２及び底板部１０４を夫々有している。第２ハウジング２００は、Ｚ方向における両側に、上板部２０２及び底板部（第２当接部）２０４を夫々有している。
【００３１】
図２及び図８に示されるように、本実施の形態による第１ハウジング１００は、３つの（即ち、複数の）第１収容部（収容部）１１０と、３つの第１係止突起（係止突起）１３０と、３つの第１係止孔（係止孔）１５０とを有している。但し、本発明によれば、第１収容部１１０等の数は３つには限られない。
【００３２】
図２及び図８から理解されるように、第１収容部１１０は、Ｙ方向（幅方向）に並んでいる。第１収容部１１０は、コネクタ１０の後端１０ｒ側に開口しており、コンタクト４００が、＋Ｘ方向に沿って第１収容部１１０に挿入・収容されている。第１収容部１１０の前方には、第１接続孔（接続孔）１１２と第１解除孔（解除孔）１１４とが形成されている。換言すれば、第１接続孔１１２及び第１解除孔１１４は、Ｘ方向において、コネクタ１０の前端１０ｆと第１収容部１１０との間に位置している。第１接続孔１１２及び第１解除孔１１４は、第１ハウジング１００の前端部（即ち、＋Ｘ側の端部）をＸ方向に貫通しており、第１収容部１１０と連通している。
【００３３】
図２、図７及び図８に示されるように、第１収容部１１０の夫々には、第１ランス（ランス）１１６が設けられている。第１ランス１１６は、Ｘ方向において同じ位置に配置されている。詳しくは、第１ハウジング１００の上板部１０２には、３つのＵ字型の第１溝（溝）１１８が形成されている（図２参照）。第１溝１１８は、第１収容部１１０の上に夫々形成されている。第１溝１１８は、上板部１０２をＺ方向に貫通しており、これにより第１ランス１１６が形成されている。換言すれば、第１ランス１１６は、上板部１０２に設けられている。第１ランス１１６は、Ｚ方向に弾性変形可能となるように上板部１０２に支持されている。第１ランス１１６の＋Ｘ側の端部には、Ｘ方向と直交する面（即ち、垂直面）が形成されている。
【００３４】
本実施の形態によれば、第１ランス１１６は、上板部１０２の−Ｙ側に偏るようにして配置されている（図２参照）。より具体的には、第１ランス１１６のＹ方向における中心は、第１収容部１１０のＹ方向における中心から−Ｙ方向に多少ずれている。第１ランス１１６は、部分的に第１収容部１１０の内部に突出するようにして、Ｚ方向において第１収容部１１０の上に位置している（図８参照）。
【００３５】
図２及び図８に示されるように、３つの第１係止孔１５０は、Ｘ方向において同じ位置に配置されている。第１係止孔１５０は、第１ランス１１６の後方に形成されている。換言すれば、第１係止孔１５０は、Ｘ方向において第１ランス１１６とコネクタ１０の後端１０ｒとの間に位置している。
【００３６】
本実施の形態による第１係止孔１５０は、第１収容部１１０の上に夫々位置しており、第１係止孔１５０全体が上板部１０２をＺ方向に貫通している。換言すれば、第１係止孔１５０全体が、１つの第１収容部１１０と連通している。但し、第１係止孔１５０の一部は、底を有する凹みであってもよい（即ち、上板部１０２を貫通していなくてもよい）。また、第１係止孔１５０は、例えば２つの第１収容部１１０の上にまたがるようにして形成されていてもよい。更に、第１係止孔１５０が、隣り合う２つの第１収容部１１０と連通するように形成することも可能である。換言すれば、第１係止孔１５０は、Ｚ方向において第１収容部１１０のうちの少なくとも１つと連通していればよい。
【００３７】
図２及び図１１に示されるように、３つの第１係止突起１３０は、Ｙ方向において同じ位置に配置されている。第１係止突起１３０は、第１ランス１１６の後方に形成されている。詳しくは、第１係止突起１３０は、Ｙ方向において第１係止孔１５０と隣り合うようにして、第１収容部１１０の上に位置している。第１係止突起１３０は、上板部１０２から上方に向かって（即ち、＋Ｚ方向に沿って）突出しており、Ｘ方向に長く延びている。
【００３８】
本実施の形態によれば、第１係止突起１３０のＹ方向における両側面は、第１収容部１１０のＹ方向における両側面の間に位置している（図１１参照）。但し、第１係止突起１３０が２つの第１収容部１１０の上にまたがっていない限り、第１係止突起１３０の一部が、Ｙ方向において１つの第１収容部１１０の外側に位置していてもよい。換言すれば、第１係止突起１３０は、Ｘ方向及びＹ方向によって規定される水平面において、第１収容部１１０のうちの１つのみと重なる位置に配置されていればよい。
【００３９】
図１１に示されるように、本実施の形態によれば、第１係止突起１３０の幅：Ｔｐ（即ち、Ｙ方向におけるサイズ）は、第１収容部１１０の幅：Ｔｈの１／２よりも僅かに小さく、第１係止孔１５０の幅と実質的に同一である。
【００４０】
図２及び図１１に示されるように、第１係止突起１３０のうちの（少なくとも）一つには、第１ロック部（ロック部）１３２が設けられている。本実施の形態による第１ロック部１３２は、第１ハウジング１００の＋Ｙ側の側部に位置する第１係止突起１３０の上端に設けられている。第１ロック部１３２は、第１係止突起１３０から＋Ｙ方向に突出している。詳しくは、第１ロック部１３２は、Ｚ方向と斜交しつつＸ方向に延びる斜面と、斜面の下に位置してＺ方向と直交する水平面とを有している。
【００４１】
図１１に示されるように、第１ハウジング１００には、第１被ロック部（被ロック部）１７０が設けられている。本実施の形態による第１被ロック部１７０は、第１ハウジング１００の−Ｙ側の側部に位置する第１収容部１１０の上端に設けられている。第１被ロック部１７０は、第１収容部１１０から−Ｙ方向に窪んだ窪みである。詳しくは、第１被ロック部１７０は、Ｚ方向と直交する平面状に形成された上面（即ち、水平面）を有している。
【００４２】
本実施の形態によれば、第２ハウジング２００の部位の夫々は、第１ハウジング１００における相当する部位と同一の形状及びサイズを有している。但し、第２ハウジング２００は、第１ハウジング１００を上下にひっくり返したものであるため、第２ハウジング２００の部位間の相対的な位置関係は、第１ハウジング１００における相当する部位間の相対的な位置関係と多少異なっている。以下、上述の相対的な位置関係の相違点を中心に、第２ハウジング２００の構造を説明する。
【００４３】
図２乃至図４に示されるように、第２ハウジング２００は、第１ハウジング１００と同様に、３つの第２収容部（収容部）２１０と、３つの第２係止突起（係止突起）２３０と、３つの第２係止孔（係止孔）２５０とを有している。第２収容部２１０、第２係止突起２３０及び第２係止孔２５０は、第１収容部１１０、第１係止突起１３０及び第１係止孔１５０に夫々相当する部位である。
【００４４】
図８に示されるように、第２収容部２１０は、コネクタ１０の後端１０ｒ側に開口している。コンタクト４００は、上下にひっくり返した状態で、＋Ｘ方向に沿って第２収容部２１０に挿入・収容されている。第２収容部２１０の前方には、第２接続孔（接続孔）２１２と第２解除孔（解除孔）２１４とが形成されている。第２接続孔２１２及び第２解除孔２１４は、第１接続孔１１２及び第１解除孔１１４と同様に、第２ハウジング２００の前端部をＸ方向に貫通しており、第２収容部２１０と連通している。
【００４５】
図３、図４及び図８に示されるように、第２収容部２１０の夫々には、第２ランス（ランス）２１６が設けられている。第２ランス２１６は、第１ランス１１６に相当する部位である。詳しくは、第２ハウジング２００の底板部２０４には、第１溝１１８に相当する３つのＵ字型の第２溝（溝）２１８が形成されている。第２溝２１８は、第２収容部２１０の下に形成されている。第２溝２１８は、底板部２０４をＺ方向に貫通しており、これにより第２ランス２１６が形成されている。換言すれば、第２ランス２１６は、Ｚ方向に弾性変形可能となるようにして、底板部２０４に設けられている。
【００４６】
本実施の形態によれば、第２ランス２１６は、底板部２０４の＋Ｙ側に偏るようにして配置されている（図３参照）。第２ランス２１６は、部分的に第２収容部２１０の内部に突出するようにして、Ｚ方向において第２収容部２１０の下に位置している（図８参照）。第２ハウジング２００を−Ｘ方向に沿って見ると、第２解除孔２１４を通して、第２ランス２１６のうち第２収容部２１０の内部に突出した部位を視認することができる（図４参照）。
【００４７】
図３及び図９に示されるように、本実施の形態による第２係止孔２５０は、第２収容部２１０の下に夫々位置しており、第２係止孔２５０全体が底板部２０４をＺ方向に貫通している。換言すれば、第２係止孔２５０全体が、１つの第２収容部２１０と連通している。但し、第２係止孔２５０は、Ｚ方向において第２収容部２１０のうちの少なくとも１つと連通していればよい。
【００４８】
図３及び図４に示されるように、第２係止突起２３０は、第２ランス２１６の後方に形成されている。詳しくは、第２係止突起２３０は、Ｙ方向において第２係止孔２５０と隣り合うようにして、第２収容部２１０の下に位置している。第２係止突起２３０は、底板部２０４から下方に向かって（即ち、−Ｚ方向に沿って）突出しており、Ｘ方向に長く延びている。本実施の形態による第２係止突起２３０は、Ｘ方向及びＹ方向によって規定される水平面において、第２収容部２１０のうちの１つのみと重なる位置に配置されている。
【００４９】
図１１に示されるように、本実施の形態によれば、第２係止突起２３０の幅：Ｔｐは、第２収容部２１０の幅：Ｔｈの１／２よりも僅かに小さく、第２係止孔２５０の幅と実質的に同一である。
【００５０】
以上の説明から理解されるように、第１係止突起１３０は、第２収容部２１０と夫々対応するように複数設けられており、第２係止突起２３０は、第１収容部１１０と夫々対応するように複数設けられている。
【００５１】
図３及び図１１に示されるように、第２係止突起２３０のうちの（少なくとも）一つには、第１ロック部１３２に相当する第２ロック部（ロック部）２３２が設けられている。本実施の形態による第２ロック部２３２は、第２ハウジング２００の−Ｙ側の側部に位置する第２係止突起２３０の下端に設けられている。第２ロック部２３２は、第２係止突起２３０から−Ｙ方向に突出している。
【００５２】
図１１に示されるように、第２ハウジング２００には、第１被ロック部１７０に相当する第２被ロック部（被ロック部）２７０が設けられている。第２被ロック部２７０は、第２収容部２１０から＋Ｙ方向に窪んだ窪みである。本実施の形態による第２被ロック部２７０は、第２ハウジング２００の＋Ｙ側の側部に位置する第２収容部２１０の下端に設けられている。
【００５３】
図１及び図２から理解されるように、本実施の形態によれば、第１ハウジング１００及び第２ハウジング２００には、互いに分離した状態でコンタクト４００が夫々挿入される。本実施の形態によるコネクタ１０は、コンタクト４００を夫々挿入した第１ハウジング１００と第２ハウジング２００とを連結することにより組立てられている。
【００５４】
図８乃至図１０から理解されるように、コンタクト４００が第１ハウジング１００の第１収容部１１０に挿入される際、第１ランス１１６は、コンタクト４００の仮被係止部４１６を係止する。詳しくは、コンタクト４００を第１収容部１１０に挿入すると、コンタクト４００の＋Ｘ側の先端が第１ランス１１６と当接して、第１ランス１１６を上方に押し上げる。コンタクト４００の＋Ｘ側の先端が第１接続孔１１２の近傍に到達すると（即ち、コンタクト４００が第１収容部１１０に収容されると）、第１ランス１１６は初期位置に戻り、第１ランス１１６の一部が凹部４１４に受容される（図９参照）。第１収容部１１０に収容されたコンタクト４００に−Ｘ方向（抜去方向）の力が加わった場合、仮被係止部４１６の垂直面は、第１ランス１１６の垂直面に当接して係止される。
【００５５】
以上の説明から理解されるように、仮被係止部４１６と第１ランス１１６との当接により、コンタクト４００の意図しない抜け落ちが防止される。一方、例えば治具を使用することで、コンタクト４００を第１ハウジング１００から抜去することができる。詳しくは、第１解除孔１１４を通し、更に第１ハウジング１００の上板部１０２の内壁とコンタクト４００の外板部４１２との隙間を通して、あるいは、第１解除孔１１４と連通する冶具解除用孔（図示せず）を第１ハウジング１００の上板部１０２に設けて、この冶具解除用孔（図示せず）を通して、第１収容部１１０に治具を挿入し、第１ランス１１６を凹部４１４の上方に押し上げればよい（即ち、変位させればよい）。
【００５６】
第２ハウジング２００についても、第１ハウジング１００と同様に、コンタクト４００が第２収容部２１０に挿入される際、第２ランス２１６は、コンタクト４００の仮被係止部４１６を係止する。また、上記と同様に第２ランス２１６を治具によって変位させることにより、挿入されたコンタクト４００を、第２ハウジング２００から抜去することができる。
【００５７】
図８、図９及び図１１から理解されるように、コンタクト４００が挿入された第１ハウジング１００と第２ハウジング２００とは、Ｚ方向に重ねるだけで連結される。詳しくは、第２ハウジング２００を第１ハウジング１００の真上に位置させると、ＸＹ平面において、第１係止突起１３０は第２係止孔２５０と同じ位置に位置し、第２係止突起２３０は第１係止孔１５０と同じ位置に位置する。次に、第１ハウジング１００と第２ハウジング２００とを近づけると、第１係止突起１３０及び第２係止突起２３０は、第２係止孔２５０及び第１係止孔１５０に夫々挿入され、これにより、第１ハウジング１００と第２ハウジング２００とは、第２ハウジング２００がＺ方向において第１ハウジング１００の上に位置するようにして連結される。
【００５８】
図９から理解されるように、上述のように組み立てられたコネクタ１０を相手側コネクタ（図示せず）と接続すると、相手側コネクタの相手側コンタクト（図示せず）は、第１接続孔１１２（又は第２接続孔２１２）を通過して被挿入部４２４に挿入され、接触部４２０と接触する。従って、コネクタ１０と相手側コネクタ（図示せず）とが電気的に接続される。
【００５９】
図９及び図１１に示されるように、第１ハウジング１００と第２ハウジング２００とが連結された連結状態において（即ち、コネクタ１０が組み立てられた状態において）、第１ハウジング１００の第１係止突起１３０は、Ｚ方向において上方に延びて第２ハウジング２００の第２係止孔２５０を通過し、コンタクト４００の被係止部４２２を係止している。同様に、図８及び図１１に示されるように、連結状態において、第２ハウジング２００の第２係止突起２３０は、Ｚ方向において下方に延びて第１ハウジング１００の第１係止孔１５０を通過し、コンタクト４００の被係止部４２２を係止している。被係止部４２２のＺ方向におけるサイズは仮被係止部４１６のＺ方向におけるサイズよりも大きいため、連結状態において、コンタクト４００は、被係止部４２２によって、より強固に係止される。
【００６０】
図１０から理解されるように、連結状態において、第１ハウジング１００の第１当接部（当接部）１０２と第２ハウジング２００の第２当接部（当接部）２０４とは当接しており、これにより第１ランス１１６及び第２ランス２１６のＺ方向における変位が規制されている。詳しくは、第１ランス１１６が上板部（第１当接部）１０２の−Ｙ側に偏るように配置され、第２ランス２１６が底板部（第２当接部）２０４の＋Ｙ側に偏るように配置されているため、底板部２０４が第１ランス１１６を押え、上板部１０２が第２ランス２１６を押えている。従って、例えばコンタクト４００が引っ張られて第１ランス１１６に−Ｘ方向の強い力が加わったとしても、第１ランス１１６は上方に変位することができない。同様に、第２ランス２１６は下方に変位することができない。以上の説明から理解されるように、連結状態において、コンタクト４００の仮被係止部４１６は、第１ランス１１６又は第２ランス２１６によって、連結前よりも強固に係止される。
【００６１】
本実施の形態によれば、連結状態において、上板部１０２と底板部２０４とは面接触している。上板部１０２と底板部２０４とは、Ｚ方向において多少離れていてもよい。但し、コンタクト４００の仮被係止部４１６を強固に係止するためには、少なくとも第１ランス１１６近傍の上板部１０２と第２ランス２１６近傍の底板部２０４とは面接触していることが好ましい。
【００６２】
図１１に示されるように、第２ロック部２３２と第１被ロック部１７０とは、第２ロック部２３２の斜面によって第１被ロック部１７０が形成された第１ハウジング１００の側壁を押し広げるようにして係合している。同様に、第１ロック部１３２と第２被ロック部２７０とは、第１ロック部１３２の斜面によって第２被ロック部２７０が形成された第２ハウジング２００の側壁を押し広げるようにして係合している。より具体的には、連結状態において、第１ロック部１３２と、第１ロック部１３２に対応する第２被ロック部２７０とが係合するとともに、第２ロック部２３２と、第２ロック部２３２に対応する第１被ロック部１７０とが係合しており、これにより第１ハウジング１００と第２ハウジング２００との連結状態が維持されている。第１ハウジング１００と第２ハウジング２００とを分離しようとすると、第１ロック部１３２の水平面と第２被ロック部２７０の水平面とが当接するとともに、第２ロック部２３２の水平面と第１被ロック部１７０の水平面とが当接する。従って、所定以上の強い力を加えない限り、第１ハウジング１００と第２ハウジング２００とを分離することはできない。
【００６３】
特に、本実施の形態によれば、第１ロック部１３２は、Ｙ方向において最も外側に位置する第１係止突起１３０のうちの一方に設けられており、第２ロック部２３２は、Ｙ方向において最も外側に位置する第２係止突起２３０のうちの一方に設けられている。更に、第１ロック部１３２及び第２ロック部２３２は、Ｙ方向における両端部分に夫々位置している。従って、２つのロック部（第１ロック部１３２及び第２ロック部２３２）によって、連結状態をより強固に維持することができる。但し、第１ロック部１３２及び第２ロック部２３２は、本実施の形態と異なるように形成してもよい。例えば、全ての第１係止突起１３０及び第２係止突起２３０に第１ロック部１３２又は第２ロック部２３２を形成してもよい。
【００６４】
本実施の形態によれば、第１ロック部１３２及び第２ロック部２３２は、第１係止突起１３０及び第２係止突起２３０と、夫々一体に設けられている。しかしながら、第１ロック部１３２及び第２ロック部２３２は、異なる部位に設けてもよい。例えば、第１ハウジング１００及び第２ハウジング２００の外側にロック部及び被ロック部を形成してもよい。但し、コネクタ１０を小型化するためには、本実施の形態のように構成することが好ましい。
【００６５】
本実施の形態によれば、第１係止突起１３０が挿入される第２係止孔２５０と第２係止突起２３０とがＹ方向において隣り合っており、第２係止突起２３０が挿入される第１係止孔１５０と第１係止突起１３０とが幅方向において隣り合っている。このため、コネクタ１０のＸ方向におけるサイズの増大を避けることができるとともに、被係止部４２２が１箇所に形成された同一のコンタクト４００を、第１ハウジング１００及び第２ハウジング２００に挿入・収容することができる。従って、部品の複雑化・点数増加を避けることができる。
【００６６】
本実施の形態によれば、第１ハウジング１００に収容されるコンタクト４００と第２ハウジング２００に収容されるコンタクト４００とは、同様の構造で保持される。例えば、第１係止突起１３０のＹ方向におけるサイズは、第２係止突起２３０のＹ方向におけるサイズと同一である。従って、コネクタ１０全体としてコンタクト４００を安定的に保持することができる。
【００６７】
本実施の形態によれば、前述したように、第１係止突起１３０は、水平面において第１収容部１１０のうちの１つのみと重なる位置に配置されており、第２係止突起２３０は、水平面において、第２収容部２１０のうちの１つのみと重なる位置に配置されている。このため、Ｙ方向におけるコネクタ１０のサイズの増大を避けることができる。
【００６８】
本実施の形態によれば、第１ハウジング１００及び第２ハウジング２００として同一の部材を使用することができるため、部品点数を更に削減することができる。但し、以下に例示するように、第１ハウジング１００と第２ハウジング２００とは、互いに異なる形状を有していてもよい。
【００６９】
図１２に示されるように、第１の変形例によるコネクタ１０′は、第１ハウジング１００と、第２ハウジング（ハウジング）２００′と、複数のコンタクト４００（図５参照）とを備えている。第１ハウジング１００と第２ハウジング２００′とは、互いに異なる形状を有している。詳しくは、第２ハウジング２００′は、本体部２０６と、嵌合維持部２８０とを有している。本体部２０６は、第２ハウジング２００と同様に構成されている。嵌合維持部２８０は、Ｚ方向に弾性変形可能となるように本体部２０６に支持されている。嵌合維持部２８０には係止部２８２が設けられている。コネクタ１０′が相手側コネクタ（図示せず）と嵌合した際、係止部２８２は嵌合状態をロックする。
【００７０】
本発明は、この他にも様々に変形可能である。例えば、図１３に示されるように、第２の変形例によるコネクタ１０″は、第１ハウジング１００と、第２ハウジング２００と、シェル３００と、複数のコンタクト４００（図５参照）を備えている。シェル３００は、第１ハウジング１００及び第２ハウジング２００を覆っている。また、コンタクト４００は、複合ケーブル９００の複数のケーブル９１０の先端に夫々取り付けられている。
【００７１】
図１、図１２及び図１３から理解されるように、以上に説明したコネクタ１０，１０′，１０″のいずれにおいても、第１収容部１１０の数は、第２収容部２１０の数と同じである。また、第１収容部１１０の夫々は、Ｙ方向において、第２収容部２１０のうちのいずれか一つと同じ位置に位置している。換言すれば、第１収容部１１０及び第２収容部２１０は、格子状に配置されている。第１収容部１１０と第２収容部２１０とは、ジグザグに（即ち、千鳥状に）配置してもよい。但し、コネクタ１０，１０′，１０″のＹ方向の幅を小さくするためには、本実施の形態のように構成することが好ましい。また、第１ハウジング１００と第２ハウジング２００とは、第１収容部１１０の数と第２収容部２１０の数とが互いに異なるように形成することも可能である。但し、部品点数を削減するためには、本実施の形態のように構成することが好ましい。
【符号の説明】
【００７２】
１０，１０′，１０″  コネクタ
１０ｆ  前端
１０ｒ  後端
１００                第１ハウジング（ハウジング）
１０２                上板部（第１当接部，当接部）
１０４                底板部
１１０                第１収容部（収容部）
１１２                第１接続孔（接続孔）
１１４                第１解除孔（解除孔）
１１６                第１ランス（ランス）
１１８                第１溝（溝）
１３０                第１係止突起（係止突起）
１３２                第１ロック部（ロック部）
１５０                第１係止孔（係止孔）
１７０                第１被ロック部（被ロック部）
２００，２００′      第２ハウジング（ハウジング）
２０２                上板部
２０４                底板部（第２当接部，当接部）
２０６                本体部
２１０                第２収容部（収容部）
２１２                第２接続孔（接続孔）
２１４                第２解除孔（解除孔）
２１６                第２ランス（ランス）
２１８                第２溝（溝）
２３０                第２係止突起（係止突起）
２３２                第２ロック部（ロック部）
２５０                第２係止孔（係止孔）
２７０                第２被ロック部（被ロック部）
２８０                嵌合維持部
２８２                係止部
３００                シェル
４００                コンタクト
４１０                角筒状部
４１２                外板部
４１４                凹部
４１６                仮被係止部
４１８                支持板部
４２０                接触部
４２２                被係止部
４２４                被挿入部
４３０                かしめ部
４４０                保持部
９００                複合ケーブル
９１０                ケーブル
９１２                芯線
【図１】
0005414836.tif 000002
【図２】
0005414836.tif 000003
【図３】
0005414836.tif 000004
【図４】
0005414836.tif 000005
【図５】
0005414836.tif 000006
【図６】
0005414836.tif 000007
【図７】
0005414836.tif 000008
【図８】
0005414836.tif 000009
【図９】
0005414836.tif 000010
【図１０】
0005414836.tif 000011
【図１１】
0005414836.tif 000012
【図１２】
0005414836.tif 000013
【図１３】
0005414836.tif 000014
【図１４】
0005414836.tif 000015
【図１５】
0005414836.tif 000016
【図１６】
0005414836.tif 000017
【図１７】
0005414836.tif 000018